(57)【要約】【課題】  リモコン信号によって制御される壁付照明器具に用いられて、リモコン信号受信の指向性がよい照明装置、及びそれを用いた照明器具を提供する。【解決手段】  壁付照明器具Ａは、器具本体１と、器具本体１内に取り付けられたランプＬａと、ランプＬａを覆うグローブ２と、器具本体１内に配置されてランプＬａを点灯させる照明装置３とから構成され、照明装置３のリモコン信号受信部３１は、壁付照明器具Ａの左右方向の中心線Ｚ１のほぼ上で、リモコン信号２００の受信角θの延長線３００，３００が器具本体１に干渉しない位置、且つランプＬａの下方に配置される。【選択図】図１
2005050660.tif 000002
【特許請求の範囲】
【請求項１】
光透過率の低い材質からなる器具本体、器具本体に取り付けられたランプ、ランプの前面側を覆うグローブから構成されて壁の上方に設置される照明器具に用いられ、ランプの点灯を駆動する駆動回路、外部からリモコン信号を受信するリモコン信号受信部、受信したリモコン信号によってランプの点灯状態を制御する制御回路、動作電源を供給する電源回路を搭載した１つ以上のプリント基板と、プリント基板を収納する１つ以上の外郭材とを備えて器具本体内に設けられ、リモコン信号受信部は、照明器具の左右方向の略中心線上で、受信する信号の受信角の延長線が器具本体に干渉しない位置、且つランプの下方に配置されることを特徴とする照明装置。
【請求項２】
前記外部からのリモコン信号は、赤外線信号であることを特徴とする請求項１記載の照明装置。
【請求項３】
前記駆動回路、前記リモコン信号受信部、前記制御回路、前記電源回路は同一プリント基板上に配置され、前記リモコン信号受信部は本装置の中央近傍に位置することを特徴とする請求項２記載の照明装置。
【請求項４】
前記器具本体の下端近傍に配置されてランプの点灯条件を任意に設定する操作部を備え、前記駆動回路及び前記電源回路は、前記プリント基板の左右方向の端部近傍または上端近傍に配置されることを特徴とする請求項３記載の照明装置。
【請求項５】
前記駆動回路もしくは前記電源回路は電磁波ノイズを発生するコイルを具備し、コイルの磁束発生方向は、前記リモコン信号受信部を中心としてコイルを通過する円の円周方向に略一致することを特徴とする請求項３または４記載の照明装置。
【請求項６】
前記外郭材は、少なくとも上方以外が略円錐状に広がる開口を前面方向に形成することを特徴とする請求項３乃至５いずれか記載の照明装置。
【請求項７】
前記外郭材は、上方から下方にかけて前面に向かって略円錐状に広がる開口を形成することを特徴とする請求項３乃至５いずれか記載の照明装置。
【請求項８】
前記外郭材は、前面側に突出した突起部を前記リモコン信号受信部の上方に設け、前記リモコン信号受信部に照射されるランプ光は突起部によって遮蔽されることを特徴とする請求項３乃至７いずれか記載の照明装置。
【請求項９】
前記駆動回路、前記リモコン信号受信部、前記制御回路、前記電源回路は複数のプリント基板上に配置されることを特徴とする請求項１記載の照明装置。
【請求項１０】
照明器具周辺の状態を検知するセンサを設けて、前記制御部は受信したリモコン信号及びセンサの検知信号に応じてランプの点灯状態を制御し、前記リモコン信号受信部とセンサとは同一の基板上に配置されて光透過性の高い樹脂材料からなる外郭材に収納されることを特徴とする請求項９記載の照明装置。
【請求項１１】
前記リモコン信号受信部の信号受信状態を報知するための表示手段を前記リモコン信号受信部近傍に備えることを特徴とする請求項９または１０記載の照明装置。
【請求項１２】
前記センサは人体の動きを検知する赤外線センサであり、前記表示手段は前記センサで検知した人体の動きに対応した表示も行うことを特徴とする請求項１１記載の照明装置。
【請求項１３】
請求項１乃至１２いずれか記載の照明装置を用いることを特徴とする照明器具。
【発明の詳細な説明】
【技術分野】
【０００１】
本発明は、リモコン信号を受信して照明負荷の動作を切り替える照明装置、及びそれを用いた照明器具に関するものである。
【背景技術】
【０００２】
従来、天井等に取り付けられる照明器具については、点灯状態を制御するリモコン信号を良好に受信するための提案がされている。（例えば、特許文献１参照）
対して図１８は玄関や廊下等の壁の上方に設置される壁付照明器具Ｂの構成を示しており、壁付照明器具Ｂは、器具本体１と、器具本体１内に取り付けられたランプＬａと、ランプＬａの前面側を覆うグローブ２と、器具本体１内に配置されてランプＬａを点灯させる照明装置３とから構成されている。器具本体１は鉄等の金属製で一端（前面側）を開口した有底円筒形状に形成され、地上から約２ｍ上方の壁面に設置される。グローブ２はガラス材料によって一端（後面側）を開口した有底円筒形状に形成されて器具本体１の前面側開口に螺合するとともに、器具本体１の互いに対向する外周間に掛架された２つの略コの字状の保持部４（図２０参照）によって器具本体１に保持されている。ランプＬａは例えば白熱電球であり、器具本体１内のソケット５に装着され、ソケット５は器具本体１内の遮光板２０に金具を介して取り付けられる。
【０００３】
照明装置３は図１９に示すように、外部から交流電源ＡＣを供給されてランプＬａの点灯を駆動する駆動回路３０と、外部からリモコン信号を受けるリモコン信号受信部３１と、リモコン信号によってランプＬａの点灯状態を制御する制御回路３２と、制御回路３２に動作電源を供給する電源回路３３とを搭載したプリント基板Ｐを備え、プリント基板Ｐは外郭材６に収納されている。また、器具本体１の下面に人体の動きを検知する人感センサＳ１を配置して、人感センサＳ１によって検知した壁付照明器具Ｂ周辺の人の存在によって点灯状態を制御する場合もある。
【特許文献１】特開平６−１８７８１９号公報（段落番号［０００９］〜［００１１］、図１（ａ），（ｂ））
【発明の開示】
【発明が解決しようとする課題】
【０００４】
上記構成を備える壁付照明器具Ｂは図２０に示すように、例えば点灯状態から消灯状態へ切り替えるよう、外部のリモコン信号送信器１００からのリモコン信号２００によってその点灯状態を変更しようとした場合、特に壁付照明器具Ａの前下方からは、その左右両側のいずれの方向からも操作可能なリモコン信号の受信特性が求められている。
【０００５】
しかし上記従来の壁付照明器具Ｂでは、リモコン信号送信器１００とリモコン信号受信部３１との間に器具本体１が存在し、リモコン信号受信部３１より下方からのリモコン信号２００が器具本体１に干渉して遮蔽されてしまうことがあり、リモコン信号受信の指向性を悪化させていた。また、ランプＬａとして主に使用される白熱電球の光には、リモコン信号２００として用いられる赤外線の周波数成分が含まれており、リモコン信号送信器１００とリモコン信号受信部３１との間にランプＬａが存在すると、リモコン信号受信部３１が誤作動を起こしたり、ノイズとなってリモコン信号２００を受信できない等の問題が発生していた。
【０００６】
本発明は、上記事由に鑑みてなされたものであり、その目的は、リモコン信号によって制御される壁付照明器具に用いられて、リモコン信号受信の指向性がよい照明装置、及びそれを用いた照明器具を提供することにある。
【課題を解決するための手段】
【０００７】
請求項１の発明は、光透過率の低い材質からなる器具本体、器具本体に取り付けられたランプ、ランプの前面側を覆うグローブから構成されて壁の上方に設置される照明器具に用いられ、ランプの点灯を駆動する駆動回路、外部からリモコン信号を受信するリモコン信号受信部、受信したリモコン信号によってランプの点灯状態を制御する制御回路、動作電源を供給する電源回路を搭載した１つ以上のプリント基板と、プリント基板を収納する１つ以上の外郭材とを備えて器具本体内に設けられ、リモコン信号受信部は、照明器具の左右方向の略中心線上で、受信する信号の受信角の延長線が器具本体に干渉しない位置、且つランプの下方に配置されることを特徴とし、器具本体及びランプによってリモコン信号が遮蔽されずにリモコン信号受信の指向性がよくなるとともに、照明器具に対して左右対称のリモコン信号の受信特性を確保することができる。また、リモコン信号送信器とリモコン信号受信部との間を遮るランプの光が少なくなって誤動作を抑制することができる。
【０００８】
請求項２の発明は、請求項１において、前記外部からのリモコン信号は、赤外線信号であることを特徴とし、赤外線のリモコン信号を用いた場合でも請求項１と同様の効果を奏する。
【０００９】
請求項３の発明は、請求項２において、前記駆動回路、前記リモコン信号受信部、前記制御回路、前記電源回路は同一プリント基板上に配置され、前記リモコン信号受信部は本装置の中央近傍に位置することを特徴とし、１枚のプリント基板を用いることで構成部品を少なくでき、さらにリモコン信号受信部を照明装置の中央近傍に配置することで、円形の外形を有する照明器具において、リモコン信号受信部を照明器具の左右の中心線上に配置した場合に照明装置の外形サイズを大きくすることができる。
【００１０】
請求項４の発明は、請求項３において、前記器具本体の下端近傍に配置されてランプの点灯条件を任意に設定する操作部を備え、前記駆動回路及び前記電源回路は、前記プリント基板の左右方向の端部近傍または上端近傍に配置されることを特徴とし、操作部の操作が容易になり、使用温度の上限が比較的低いリモコン信号受信部への発熱の影響を低減した上でリモコン信号受信部をプリント基板の中央へ実装することが容易になる。
【００１１】
請求項５の発明は、請求項３または４において、前記駆動回路もしくは前記電源回路は電磁波ノイズを発生するコイルを具備し、コイルの磁束発生方向は、前記リモコン信号受信部を中心としてコイルを通過する円の円周方向に略一致することを特徴とし、リモコン信号受信部への電磁波による外乱ノイズを低減することができる。
【００１２】
請求項６の発明は、請求項３乃至５いずれかにおいて、前記外郭材は、少なくとも上方以外が略円錐状に広がる開口を前面方向に形成することを特徴とし、リモコン信号の受信能力を妨げることなく、リモコン信号受信部の周囲に背の高い部品を実装することができる。
【００１３】
請求項７の発明は、請求項３乃至５いずれかにおいて、前記外郭材は、上方から下方にかけて前面に向かって略円錐状に広がる開口を形成することを特徴とし、リモコン信号の受信能力を妨げることなく、リモコン信号受信部の周囲に背の高い部品を実装することができる。
【００１４】
請求項８の発明は、請求項３乃至７いずれかにおいて、前記外郭材は、前面側に突出した突起部を前記リモコン信号受信部の上方に設け、前記リモコン信号受信部に照射されるランプ光は突起部によって遮蔽されることを特徴とし、ランプ光の照射によるリモコン信号受信部の誤作動を抑制することができる。
【００１５】
請求項９の発明は、請求項１において、前記駆動回路、前記リモコン信号受信部、前記制御回路、前記電源回路は複数のプリント基板上に配置されることを特徴とし、基板構成の設計の自由度が高くなる。
【００１６】
請求項１０の発明は、請求項９において、照明器具周辺の状態を検知するセンサを設けて、前記制御部は受信したリモコン信号及びセンサの検知信号に応じてランプの点灯状態を制御し、前記リモコン信号受信部とセンサとは同一の基板上に配置されて光透過性の高い樹脂材料からなる外郭材に収納されることを特徴とし、リモコン信号受信部は光の透過性の高い樹脂材料内に収納されるため受信性能を向上させることができる。
【００１７】
請求項１１の発明は、請求項９または１０において、前記リモコン信号受信部の信号受信状態を報知するための表示手段を前記リモコン信号受信部近傍に備えることを特徴とし、リモコン信号を受信したか否かをユーザが容易に確認できる。さらに、光透過性の高い樹脂材料を介して表示するので、ＬＥＤ等の表示手段の出力を小さくすることができ、経済的である。
【００１８】
請求項１２の発明は、請求項１１において、前記センサは人体の動きを検知する赤外線センサであり、前記表示手段は前記センサで検知した人体の動きに対応した表示も行うことを特徴とし、ユーザがリモコン操作をするために照明器具に近付いた際、表示手段がリモコン信号受信部の近傍で表示を行うので、この表示手段は、リモコン信号受信部に向かってリモコン信号の送信操作を行う際の目印となり、リモコン操作をより容易とする。
【００１９】
請求項１３の発明は、請求項１乃至１２いずれか記載の照明装置を用いることを特徴とし、器具本体及びランプによってリモコン信号が遮蔽されずにリモコン信号受信の指向性がよくなるとともに、照明器具に対して左右対称のリモコン信号の受信特性を確保することができ、また、リモコン信号送信器とリモコン信号受信部との間を遮るランプの光が少なくなって誤動作を抑制することができる照明器具を提供することができる。
【発明の効果】
【００２０】
以上説明したように、本発明では、器具本体及びランプによってリモコン信号が遮蔽されずにリモコン信号受信の指向性がよくなるとともに、照明器具に対して左右対称のリモコン信号の受信特性を確保することができる。また、リモコン信号送信器とリモコン信号受信部との間を遮るランプの光が少なくなって誤動作を抑制することができるという効果がある。
【発明を実施するための最良の形態】
【００２１】
（実施形態１）
図１，図２は玄関や廊下等の壁の上方に設置される壁付照明器具Ａの構成を示し、壁付照明器具Ａは、器具本体１と、器具本体１内に取り付けられたランプＬａと、ランプＬａの前面側を覆うグローブ２と、器具本体１内に配置されてランプＬａを点灯させる照明装置３とから構成される。器具本体１は鉄等の金属製で一端（前面側）を開口した有底円筒形状に形成され、地上から約２ｍ上方の壁面に設置される。グローブ２はガラス材料によって後面側を開口した椀形に形成されて、器具本体１の互いに対向する外周間に掛架された２つの略コの字状の保持部４（図２０参照）によって器具本体１の前面側に保持されている。ランプＬａは例えば白熱電球であり、器具本体１内の上方に設けたソケット５に装着されて、壁付照明器具Ａの左右方向の中心線Ｚ１のほぼ上に配置されている。
【００２２】
照明装置３は従来例と同様、図１９に示すように、外部から交流電源ＡＣを供給されてランプＬａの点灯を駆動する駆動回路３０と、外部から赤外線のリモコン信号２００を受けるリモコン信号受信部３１と、リモコン信号２００によってランプＬａの点灯状態を制御する制御回路３２と、制御回路３２に動作電源を供給する電源回路３３とを搭載したプリント基板Ｐを備え、プリント基板Ｐは外郭材６に収納されて、器具本体１内の下方に配置されている。
【００２３】
そしてリモコン信号受信部３１は、壁付照明器具Ａの左右方向の中心線Ｚ１のほぼ上で、リモコン信号２００の受信角θの延長線３００，３００が器具本体１に干渉しない位置に配置され、壁付照明器具Ａの前下方にある外部のリモコン信号送信器１００からのリモコン信号２００が器具本体１によって遮蔽されないので、リモコン信号受信の指向性がよくなるとともに、左右対称の良好なリモコン信号受信の指向性を得ることができる。また、ランプＬａの下方に配置されることで、ランプＬａがリモコン信号２００を遮蔽せず、さらには、リモコン信号送信器１００とリモコン信号受信部３１との間を遮るランプＬａの光が少なくなって誤動作を抑制することができる。
【００２４】
また図３に示すように、照明装置３を接続線７で互いに接続した２つの照明装置３ａ，３ｂに分離して、各々を別のプリント基板で構成してもよく、この場合も、器具本体１内の下方に配置された照明装置３ｂのリモコン信号受信部３１は、壁付照明器具Ａの左右方向の中心線Ｚ１のほぼ上で、リモコン信号２００の受信角θの延長線３００，３００が器具本体１に干渉しない位置、且つランプＬａの下方に配置される。
（実施形態２）
図４は本実施形態の照明装置３の構成を示し、図１９の構成に操作部３４を付加して制御回路３２に接続したもので、図５（ａ），（ｂ）にその照明装置３の前面図、及び側面断面図を示す。操作部３４は４つのボリュームスイッチからなり、ランプＬａの点灯条件を任意の設定値に設定するもので、例えば点灯照度を任意に設定することができ、壁付照明器具Ａに照明装置３を組み込んだ状態で、操作部３４は壁付照明器具Ａの下端近傍に位置する。また、リモコン信号受信部３１は、照明装置３の略中央に配置され、照明装置３の左右方向の中心は壁付照明器具Ａの左右方向の中心線Ｚ１にほぼ一致しており、外形サイズの大きい照明装置３であっても器具本体１内のスペースを最大限有効に使って収納できる。
【００２５】
そして、外郭材６内ではリモコン信号受信部３１の受信方向を前に向かって水平に配置しており、外郭材６は、リモコン信号受信部３１から前面に向かって広がる円錐状の開口６ａを設けて、開口６ａの内側からはリモコン信号受信部３１が露出しており、開口６ａの円錐面に沿ってリモコン信号２００の受信角θの延長線３００，３００が形成される。したがって壁付照明器具Ａの前下方にある外部のリモコン信号送信器１００からのリモコン信号２００が、外郭材６によって遮蔽されない構造となり、リモコン信号２００の受信能力を低下させることなく、リモコン信号受信部３１の周辺に背の高い部品を実装することができる。
【００２６】
また図６（ａ），（ｂ）に示すように、リモコン信号受信部３１の受信方向を水平方向より下方向に向かって配置した場合は、上方から下方にかけて前面に向かって広がる略円錐状の開口６ｂを形成すれば、壁付照明器具Ａの前下方にある外部のリモコン信号送信器１００からのリモコン信号２００が外郭材６によって遮蔽されず、リモコン信号２００の受信能力を低下させることなく、リモコン信号受信部３１の周辺に背の高い部品を実装することができる。
【００２７】
他の構成は実施形態１と同様であり、同様の構成には同一の符号を付して説明は省略する。
（実施形態３）
図７は実施形態２の照明装置３から外郭材６を取り除いた内部構成を示しており、プリント基板Ｐ上には、駆動回路３０と、リモコン信号受信部３１と、制御回路３２と、電源回路３３と、操作部３４とを搭載している。
【００２８】
駆動回路３０及び電源回路３３は負荷電流が流れて発熱量の多い部品を具備しており、発熱部品として駆動回路３０は例えばトライアックＴ１を備え、電源回路３３は例えばコイルＬ１を備えている。一方、制御回路３２及び操作部３４は大電流が流れる部品がなく、部品の発熱量は小さい。したがって、リモコン信号受信部３１が略中央に配置されたプリント基板Ｐでは、発熱量の大きい部品を有する駆動回路３０及び電源回路３３は、プリント基板Ｐの左右方向の端部近傍または上端近傍に配置され、図７において駆動回路３０はプリント基板Ｐの右端部近傍に配置され、電源回路３３はプリント基板Ｐの上端部近傍に配置される。また、制御回路３２はプリント基板Ｐの左端部近傍に配置され、操作部３４はプリント基板Ｐの下端部近傍に配置されている。
【００２９】
さらに、電源回路３３のコイルＬ１は図８に示すように磁心Ｃｏ１に巻回して構成されており、その磁束（電磁波）はコイルＬ１の開口方向５００に向かって発生する。そこで図９に示すように、プリント基板Ｐ上のコイルＬ１は、その磁束発生方向５００を、リモコン信号受信部３１を中心とした円４００の円周方向に略一致させており、リモコン信号受信部３１に対する電磁波による外乱ノイズを低減している。
（実施形態４）
図１０、図１１（ａ），（ｂ）は実施形態２の外郭材６前面において、円錐状の開口６ａの上方に、開口端縁に沿って遮光壁６ｃを突設したもので、上方のランプＬａから下方のリモコン信号受信部３１へのランプ光６００を遮光壁６ｃによって遮蔽して、ランプ光６００によるリモコン信号受信部３１の誤動作を抑制することができる。
【００３０】
さらに、遮光壁６ｃは、リモコン信号送信器１００とリモコン信号受信部３１との間、すなわちリモコン信号受信部３１より下方でリモコン信号２００の受信角θ内に干渉しないように設けられている。
（実施形態５）
図１２，図１３は本実施形態の壁付照明器具Ａの構成を示しており、照明装置３を接続線７で互いに接続した２つの照明装置３ａ，３ｂに分離している。そして図１４に示すように照明装置３ａは、プリント基板Ｐ１上に駆動回路３０と、制御回路３２ａと、電源回路３３と、操作部３４とを搭載して外郭材６ａに収納されて構成され、照明装置３ｂは、プリント基板Ｐ２上の制御回路３２ｂに設けたリモコン信号受信部３１と、壁付照明器具Ａ周辺の状態を検知するセンサ部Ｓとを外郭材６ｂに収納して構成され、制御回路３２ａと制御回路３２ｂとが接続線７で接続されている。なお、他の構成は実施形態１と同様であり、同様の構成には同一の符号を付して説明は省略する。
【００３１】
照明装置３ｂは器具本体１の下面の左右方向のほぼ中心線上から地面方向へ露出しており、ランプＬａの光による誤動作を防止することができるとともに、図１５に示すようにリモコン信号受信部３１のリモコン信号受信範囲７００は、リモコン信号を遮るものがないので壁付照明器具Ａの直下から前下方の広い範囲となる。また、壁付照明器具Ａが屋外で使用される場合、赤外線のリモコン信号を用いると太陽光の赤外線成分によってリモコン信号受信部３１にノイズが入り、誤動作を引き起こすことが懸念されるが、上記構造ではリモコン信号受信部３１は器具本体１によって影となり、太陽光による誤動作を防止することができる。
【００３２】
センサ部Ｓ及びリモコン信号受信部３１は、壁付照明器具Ａの左右方向のほぼ中心線上で、センサ信号及びリモコン信号の受信角θの延長線３００，３００が器具本体１に干渉しないように配置されており、左右対称の良好なセンサ検知及びリモコン信号受信の指向性を得ることができる。また、ランプＬａの下方に配置されることで、ランプＬａがリモコン信号を遮蔽しないとともに、リモコン信号送信器１００とリモコン信号受信部３１との間を遮るランプＬａの光が少なくなって誤動作を抑制することができる。
【００３３】
ここでセンサ部Ｓを人体センサＳ１で構成した場合（人体センサＳ１は人を検知するに当たり無方向性の特性を保つために壁付照明器具Ａの左右方向の中心線上に配置される）、人が来たときに人体センサＳ１からの検知信号によってランプＬａを点灯させる機能を有しており、さらにはリモコン信号受信部３１で受信したリモコン信号によって、人体センサＳ１の検知信号でランプＬａを点灯させるか、あるいは検知信号に関係なく強制的に点灯させ続けるかを選択して使い分けることができる。
【００３４】
次に照明装置３ｂの構成について説明する。なお、以下の説明ではセンサ部Ｓは人体センサＳ１と明るさセンサＳ２とを備えて、制御回路３２ａはリモコン信号と、人体センサＳ１及び明るさセンサＳ２の各センサ信号に応じてランプＬａの点灯状態を制御するものとする。まず外郭材６ｂは、光の透過性の高い樹脂部品（例えばポリエチレン樹脂）からなる中空の略球状で、略半球状の外郭材６１ｂ，６２ｂを組み合わせることで形成される。外郭材６２ｂの内壁に突設した取付台Ｄにはプリント基板Ｐ２が載置され、外郭材６２ｂの開口には外郭材６１ｂが取着してプリント基板Ｐ２を固定して、照明装置３ｂが構成される。そして、プリント基板Ｐ２上にはリモコン信号受信部３１と、人感センサＳ１と、明るさセンサＳ２と、ＬＥＤ等の発光体からなる表示部３５とが搭載される。
【００３５】
照明装置３ｂは外郭材６１ｂ側を下方に向けて器具本体１に取り付けられており、この外郭材６１ｂはレンズの役割を有し、周辺の赤外線を集光させて人体センサＳ１の検知能力を決める要素の１つとなっている。またリモコン信号受信部３１は、光の透過性の高い樹脂外郭材６ｂを介してリモコン信号を受信しており、ガラス製のグローブ２を介して受信するよりも受信性能を向上させている。
【００３６】
さらに表示部３５はリモコン信号の受信状態を報知する手段であり、図１７に示すように、リモコン信号受信部３１がリモコン信号を受信すると赤く点灯することで、外郭材６１ｂを介してリモコン信号の受信を報知しており、この点灯によって受信したことを確認できる。
【００３７】
また、この表示部３５は人体センサＳ１が人を検知したときにも点灯することで、人体センサＳ１の検知状態を報知する手段を兼用してもよく、この場合、ユーザがリモコン操作をするために壁付照明器具Ａに近付くと、表示部３５がリモコン信号受信部３１の近傍で点灯するので、リモコン信号受信部３１に向かってリモコン信号の送信操作を行う際の目印となる。
【図面の簡単な説明】
【００３８】
【図１】本発明の実施形態１の壁付照明器具の構成を示す側面図である。
【図２】同上の構成を示す前面図である。
【図３】同上の構成を示す前面図である。
【図４】本発明の実施形態２の照明装置の構成を示すブロック図である。
【図５】（ａ）同上の構成を示す前面図である。（ｂ）同上の構成を示す側面断面図である。
【図６】（ａ）同上の構成を示す前面図である。（ｂ）同上の構成を示す側面断面図である。
【図７】本発明の実施形態３の照明装置の外郭材を除いた構成を示す前面図である。
【図８】同上のコイルを示す図である。
【図９】同上のコイルの配置を示す前面図である。
【図１０】本発明の実施形態４の壁付照明器具の構成を示す側面断面図である。
【図１１】（ａ）同上の照明装置の構成を示す前面図である。（ｂ）同上の照明装置の構成を示す側面断面図である。
【図１２】本発明の実施形態５の壁付照明器具の外観を示す斜視図である。
【図１３】同上の構成を示す側面図である。
【図１４】同上の照明装置の構成を示すブロック図である。
【図１５】同上のリモコン受信範囲を示す図である。
【図１６】同上の照明装置の構成を示す分解斜視図である。
【図１７】同上の一部拡大図である。
【図１８】従来の壁付照明器具の構成を示す分解図である。
【図１９】同上の照明装置の構成を示すブロック図である。
【図２０】同上の壁付照明器具へリモコン信号を送信する状態を示す図である。
【符号の説明】
【００３９】
Ａ  壁付照明器具
１  器具本体
２  グローブ
３  照明装置
５  ソケット
６  外郭材
３０  駆動回路
３１  リモコン信号受信部
３２  制御回路
３３  電源回路
１００  リモコン信号送信器
２００  リモコン信号
Ｌａ  ランプ
【図１】
2005050660.tif 000003
【図２】
2005050660.tif 000004
【図３】
2005050660.tif 000005
【図４】
2005050660.tif 000006
【図５】
2005050660.tif 000007
【図６】
2005050660.tif 000008
【図７】
2005050660.tif 000009
【図８】
2005050660.tif 000010
【図９】
2005050660.tif 000011
【図１０】
2005050660.tif 000012
【図１１】
2005050660.tif 000013
【図１２】
2005050660.tif 000014
【図１３】
2005050660.tif 000015
【図１４】
2005050660.tif 000016
【図１５】
2005050660.tif 000017
【図１６】
2005050660.tif 000018
【図１７】
2005050660.tif 000019
【図１８】
2005050660.tif 000020
【図１９】
2005050660.tif 000021
【図２０】
2005050660.tif 000022